(57)【特許請求の範囲】
【請求項１】
キーを錠側において回転自在に設けた回転軸のキー溝に挿入して回転軸を回転させることで、回転軸に設けた錠片を回動させてロック孔に係入してロックをおこなうロック機構であって、舌片状に形成した錠片を設けた可動側部もしくは固定側部に錠片を非ロック位置に保持する非ロック位置保持手段を設け、上記非ロック位置保持手段による錠片の保持を解除するばね押し部を備えた解除手段をロック孔を設けた固定側部もしくは可動側部に設け、非ロック位置保持手段は、略Ｕ字状のばね片が回転軸の周りに回転不能で、ばね片の一方の脚片が可動側部の移動方向に弾性変位自在にして備え、上記脚片を錠片の板面に弾接し、上記脚片の遊端部にフックを形成し、フックを錠片の側縁部に錠片の回転を阻止して係止して非ロック位置に錠片を保持するとともに、上記脚片のフックの近傍に、ばね押し部に当接して脚片を弾性変位させてフックを錠片より離脱させる被押圧部と、錠片のオーバー回転方向にフックの高さ以上の高さを備えた突起と、を形成して成るものであり、可動側部を固定側部に対して閉じ姿勢に戻した閉じ位置においてばね押し部を被押圧部に当接して脚片を弾性変位させることで、上記解除手段にて上記非ロック位置保持手段による錠片の非ロック位置での保持を解除するように連動させるとともに、上記閉じ位置以外において錠片をオーバー回転させた場合にフックの端縁が錠片の後縁端に係合することを上記突起が阻止して成ることを特徴とするロック機構。
【請求項２】
スタッカー部及び紙幣識別装置を備えた可動側部と、上記可動側部をスライド移動して引き出し自在に挿入された固定側部と、可動側部と固定側部の間に設けたロック機構と、からなり遊技機間に装着されるスタッカー付き紙幣識別機において、上記ロック機構はキーを錠側において回転自在に設けた回転軸のキー溝に挿入して回転軸を回転させることで、回転軸に設けた錠片を回動させてロック孔に係入してロックをおこない可動側部を固定側部に施錠するものであって、舌片状に形成した錠片を設けた可動側部もしくは固定側部に錠片を非ロック位置に保持する非ロック位置保持手段を設け、上記非ロック位置保持手段による錠片の保持を解除するばね押し部を備えた解除手段をロック孔を設けた固定側部もしくは可動側部に設け、非ロック位置保持手段は、略Ｕ字状のばね片が回転軸の周りに回転不能で、ばね片の一方の脚片が可動側部の移動方向に弾性変位自在にして備え、上記脚片を錠片の板面に弾接し、上記脚片の遊端部にフックを形成し、フックを錠片の側縁部に錠片の回転を阻止して係止して非ロック位置に錠片を保持するとともに、上記脚片のフックの近傍に、ばね押し部に当接して脚片を弾性変位させてフックを錠片より離脱させる被押圧部と、錠片のオーバー回転方向にフックの高さ以上の高さを備えた突起と、を形成して成るものであり、可動側部を固定側部に対して閉じ姿勢に戻した閉じ位置においてばね押し部を被押圧部に当接して脚片を弾性変位させることで、上記解除手段にて上記非ロック位置保持手段による錠片の非ロック位置での保持を解除するように連動させるとともに、上記閉じ位置以外において錠片をオーバー回転させた場合にフックの端縁が錠片の後縁端に係合することを上記突起が阻止して成ることを特徴とするロック機構を備えたスタッカー付き紙幣識別機。
【請求項３】
錠側の金属製の枠体に導電性とした略Ｕ字状のばね片の固定側の脚片を当接し、可動側の脚片の被押圧部を押すばね押し部をアースして成ることを特徴とする請求項１記載のロック機構。
【発明の詳細な説明】
【０００１】
本発明は、ロック機構及びロック機構を備えたスタッカー付き紙幣識別機に関し、殊に、遊技機間に装着されるスタッカー付き紙幣識別機に備えたロック機構に関し、詳しくは、キーをキー溝に挿入して回転軸とともに錠片を回動させてロック及びロック解除をおこなうロック機構に関し、更に詳しくは、錠片を正確にロック位置において回動させてロックを正確におこなう技術に係るものである。
【０００２】
【従来の技術】
従来、ロック機構においては、例えば、ロック孔を固定側部に、錠を可動側部に設けるのであり、キーを錠側において回転自在に設けた回転軸のキー溝に挿入して回転軸を回転させることで、回転軸に設けた錠片を回動させてロック孔に係入してロックをおこなうものである。
【０００３】
【発明が解決しようとする課題】
ところで、従来のロック機構においては、錠を備えた可動側部を例えばスライドさせて引き出した状態においてもキーをキー溝に挿入して回転操作することで錠片をロック位置へと回転させることができるのであり、このことは、錠を備えた可動側部を所定の固定位置に押し込む手前においても錠片を回動させることができて、誤（未）施錠が生じるという問題があった。
【０００４】
又、錠を備えている可動側部をスライドさせて引き出した位置において錠片を回動操作させることができることから、錠片を回動させて突出させている姿勢で可動側部を閉じることがあり、このような場合に錠片を変形させてしまい、所定のロックがおこなえなくなるおそれがあるなどという問題があった。
【０００５】
本発明はこのような問題に鑑みてなされたものであり、錠片をロック位置においてのみ回動させることができ、誤（未）施錠が生じることがなく、又、錠片を不測に突出させて変形させることがないロック機構を提供することを課題とするものである。
【０００６】
請求項１においては、キー１を錠１５側において回転自在に設けた回転軸２のキー溝３に挿入して回転軸２を回転させることで、回転軸２に設けた錠片４を回動させてロック孔５に係入してロックをおこなうロック機構であって、舌片状に形成した錠片４を設けた可動側部６もしくは固定側部に錠片４を非ロック位置に保持する非ロック位置保持手段９を設け、上記非ロック位置保持手段９による錠片４の保持を解除するばね押し部８を備えた解除手段１０をロック孔５を設けた固定側部７もしくは可動側部に設け、非ロック位置保持手段９は、略Ｕ字状のばね片１１が回転軸２の周りに回転不能で、ばね片１１の一方の脚片１２ａが可動側部６の移動方向に弾性変位自在にして備え、上記脚片１２ａを錠片４の板面に弾接し、上記脚片１２ａの遊端部にフック１３を形成し、フック１３を錠片４の側縁部に錠片４の回転を阻止して係止して非ロック位置に錠片４を保持するとともに、上記脚片１２ａのフック１３の近傍に、ばね押し部８に当接して脚片１２ａを弾性変位させてフック１３を錠片４より離脱させる被押圧部１４と、錠片４のオーバー回転方向にフック１３の高さｈ以上の高さＨを備えた突起１６と、を形成して成るものであり、可動側部７を固定側部６に対して閉じ姿勢に戻した閉じ位置においてばね押し部８を被押圧部１４に当接して脚片１２ａを弾性変位させることで、上記解除手段１０にて上記非ロック位置保持手段９による錠片４の非ロック位置での保持を解除するように連動させるとともに、上記閉じ位置以外において錠片４をオーバー回転させた場合にフック１３の端縁１３ａが錠片４の後縁端４ａに係合することを上記突起１６が阻止していることを特徴とするものである。
【０００７】
このような構成によれば、錠片４を設けた例えば可動側部６を閉じ位置に移動させたときにのみ非ロック位置保持手段９を解除手段１０によって解除して、錠片４を回動できる状態にすることができ、したがって、錠片４を備えた例えば可動側部６が所定の閉じ位置の手前に位置している場合には錠片４は非ロック位置保持手段９によって非ロック位置に保持されていて、ロック孔５が存在しない位置においては錠片４を回動操作させることができず、誤（未）施錠が生じることがない。
そして、略Ｕ字状のばね片１１の一方の脚片１２ａの被押圧部１４をロック孔５側に設けたばね押し部８によって押圧することで、ばね片１１に形成したフック１３を錠片４から外して錠片４の回動が可能にできるのであり、しかして、既存の構成のものに略Ｕ字状のばね片１１を組み込み、ばね押し部８を形成することで、本発明のロック機構を得ることができ、改良が容易となる。
更に、錠片４を備えた例えば可動側部６を引き出した位置において不測に略Ｕ字状のばね片１１の脚片１２ａが弾性変形してフック１３が錠片４よりはずれた場合で、かつ、錠片４がオーバー回転した場合に錠片４は突起１６に乗り上げているのであり、幅Ｗを細くしたばね片１１が錠片４側に弾性復帰するのを防止することができ、ばね片１１が錠片４側に弾性復帰してフック１３の端縁１３ａが錠片４の後縁部４ａに係止してしまって錠片４を非ロック位置に戻すことができなくなるようなことがなく、錠片４のオーバー回転を許容しながら戻し回転を可能にし、錠片４のオーバー回転を補償することができる。
【０００８】
しかも、錠片４がロック孔５に対向していない非ロック位置においては非ロック位置保持手段９によって錠片４が保持されていることから、錠片４を備えている例えば可動側部６を引き出している場合に錠片４を操作してロック位置に回動させることができず、したがって、錠片４を不測に突出させておくことがなく、錠片４を突出させて例えば可動側部６を閉じ位置に移動させた場合に錠片４を他物に衝突させて変形させるようなことがなく、錠片４を変形させることで所定のロックができなくなることがない。
【０００９】
請求項２においては、スタッカー部１９及び紙幣識別装置２１を備えた可動側部６と、上記可動側部６をスライド移動して引き出し自在に挿入された固定側部７と、上記可動側部６と上記固定側部７の間に設けたロック機構と、からなり遊技機間に装着されるスタッカー付き紙幣識別機１８において、上記ロック機構はキー１を錠１５側において回転自在に設けた回転軸２のキー溝３に挿入して回転軸２を回転させることで、回転軸２に設けた錠片４を回動させてロック孔５に係入してロックをおこない可動側部６を固定側部７に施錠するものであって、舌片状に形成した錠片４を設けた可動側部６もしくは固定側部に錠片４を非ロック位置に保持する非ロック位置保持手段９を設け、上記非ロック位置保持手段９による錠片４の保持を解除するばね押し部８を備えた解除手段１０をロック孔５を設けた固定側部７もしくは可動側部に設け、非ロック位置保持手段９は、略Ｕ字状のばね片１１が回転軸２の周りに回転不能で、ばね片１１の一方の脚片１２ａが可動側部６の移動方向に弾性変位自在にして備え、上記脚片１２ａを錠片４の板面に弾接し、上記脚片１２ａの遊端部にフック１３を形成し、フック１３を錠片４の側縁部に錠片４の回転を阻止して係止して非ロック位置に錠片４を保持するとともに、上記脚片１２ａのフック１３の近傍に、ばね押し部８に当接して脚片１２ａを弾性変位させてフック１３を錠片４より離脱させる被押圧部１４と、錠片４のオーバー回転方向にフック１３の高さｈ以上の高さＨを備えた突起１６と、を形成して成るものであり、可動側部７を固定側部６に対して閉じ姿勢に戻した閉じ位置においてばね押し部８を被押圧部１４に当接して脚片１２ａを弾性変位させることで、上記解除手段１０にて上記非ロック位置保持手段９による錠片４の非ロック位置での保持を解除するように連動させるとともに、上記閉じ位置以外において錠片４をオーバー回転させた場合にフック１３の端縁１３ａが錠片４の後縁端４ａに係合することを上記突起１６が阻止していることを特徴とするものである。
【００１０】
このような構成によれば、錠片４を設けた例えば可動側部６を閉じ位置に移動させたときにのみ非ロック位置保持手段９を解除手段１０によって解除して、錠片４を回動できる状態にすることができ、したがって、錠片４を備えた例えば可動側部６が所定の閉じ位置の手前に位置している場合には錠片４は非ロック位置保持手段９によって非ロック位置に保持されていて、ロック孔５が存在しない位置においては錠片４を回動操作させることができず、誤（未）施錠が生じることがない。
そして、略Ｕ字状のばね片１１の一方の脚片１２ａの被押圧部１４をロック孔５側に設けたばね押し部８によって押圧することで、ばね片１１に形成したフック１３を錠片４から外して錠片４の回動が可能にできるのであり、しかして、既存の構成のものに略Ｕ字状のばね片１１を組み込み、ばね押し部８を形成することで、本発明のロック機構を得ることができ、改良が容易となる。
【００１２】
更に、錠片４を備えた例えば可動側部６を引き出した位置において不測に略Ｕ字状のばね片１１の脚片１２ａが弾性変形してフック１３が錠片４よりはずれた場合で、かつ、錠片４がオーバー回転した場合に錠片４は突起１６に乗り上げているのであり、幅Ｗを細くしたばね片１１が錠片４側に弾性復帰するのを防止することができ、ばね片１１が錠片４側に弾性復帰してフック１３の端縁１３ａが錠片４の後縁部４ａに係止してしまって錠片４を非ロック位置に戻すことができなくなるようなことがなく、錠片４のオーバー回転を許容しながら戻し回転を可能にし、錠片４のオーバー回転を補償することができる。
【００１３】
請求項３においては、請求項１の構成に加えて、錠１５側の金属製の枠体１７に導電性とした略Ｕ字状のばね片１１の固定側の脚片１２ｂを当接し、可動側の脚片１２ａの被押圧部１４を押すばね押し部８をアースしていることを特徴とするものである。
【００１４】
このような構成によれば、請求項１の作用に加えて、錠片４を回動させてロック孔５に係合させているロック状態においては、ロック孔５側のばね押し部８が錠１５側のばね片１１の脚片１２ａに弾接していることから、ばね押し部８をアースしておくことで、ばね押し部８に弾接している導電性のばね片１１によって錠１５側のアースをおこなうことができ、したがって、冬季等においてキー１を人が持ってキー溝３に挿入する場合に、人に帯電している静電気をアースすることができ、例えば、ロック孔５を備えた本体側に電子機器を搭載した器具において静電気に起因する誤動作を防止することができる。
【００１５】
【発明の実施の形態】
以下、本発明の実施の形態を説明する。図１は（ａ）はロック状態の概略側面図、同図（ｂ）は可動側部を引き出した概略側面図である。図２は入り口部のカバーを外した全体斜視図である。図３は可動側部を固定側部に対して引き出した斜視図である。
【００１６】
本発明のロック機構Ａは、例えば、パチンコやパチスロ等の遊技機（図示せず）間に装着されるスタッカー付き紙幣識別機１８に実施されるものである。スタッカー付き紙幣識別機１８は、ボックス型でスタッカー部１９及び紙幣識別装置２１を移動体２０に備え、前方が開放された外部ケース２２に対して移動体２０をスライド移動して引き出し自在に挿入している。移動体２０を可動側部６とし、外部ケース２２を固定側部７とし、可動側部６と固定側部７の間にロック機構Ａを設けて施錠がおこなえるようにしている。図４において符号２９は紙幣投入口である。
【００１７】
移動体２０に略コ字状の枠体１７が取付けられ、枠体１７にホルダー２３が取付けられ、ホルダー２３には錠片４を備えた回転軸２が回転自在に支持されている。回転軸２にはキー溝３を形成している。外部ケース２２側に固定した板材２８にはロック孔５を形成している。しかして、キー１をキー溝３に挿入して回転軸２を回転させることで、回転軸２に設けた錠片４を回動させて外部ケース２２のロック孔５に係入してロックをおこなうことができるようにしている。この場合、回転軸２の回転範囲は約９０°にすることが好ましい。
【００１８】
図８はばね片１１を示していて、断面略Ｕ字状に形成され、一の脚片１２ｂをベース片２４として挿通孔２５及び取付け孔２６、２６を形成し、挿通孔２５をホルダー２３に挿通し、取付け孔２６において枠体１７にリベット２７にて取付けている。他の一の脚片１２ａは移動体２０の移動方向に弾性変位が可能となっている。このように、略Ｕ字状のばね片１１が回転軸２の周りに回転不能で、ばね片１１の一の脚片１２ａが移動体２０の移動方向に弾性変位自在になるようにしている。
【００１９】
上記脚片１２ａを略矩形で舌片状となった錠片４の板面に弾接させている。脚片１２ａの遊端部に錠片４を非ロック位置に保持する非ロック位置保持手段９としてのフック１３を形成している。フック１３を錠片４の側端縁に当接して非ロック位置の錠片４の回転を阻止している。脚片１２ａのフック１３の近傍に略Ｕ字状に曲げた被押圧部１４を形成している。一方、外部ケース２２側においてロック孔５を形成している板材２８には解除手段１０としてのばね押し部８を設けている。
【００２０】
しかして、移動体２０を閉じ方向に移動させることで、略Ｕ字状のばね片１１の脚片１２ａの被押圧部１４をロック孔５側に設けたばね押し部８によって押圧してばね片１１に形成したフック１３を錠片４から外すことができるようにしている。
【００２１】
このように、移動体２０側において錠片４の非ロック位置を保持する非ロック位置保持手段９を設け、ロック孔５を設けた外部ケース２２側に解除手段１０を設け、移動体２０を外部ケース２２に対して閉じ姿勢に戻した閉じ位置において解除手段１０にて非ロック位置保持手段９を解除するように連動させていることから、移動体２０を閉じ位置に移動させたときにのみ非ロック位置保持手段９を解除手段１０によって解除することができ、このことは、移動体２０が所定の閉じ位置の手前に位置している場合には錠片４は非ロック位置に保持されているのであり、しかして、ロック孔５が存在しない位置においては錠片４を回動操作させることができず、誤（未）施錠が生じることがないのである。
【００２２】
しかも、錠片４がロック孔５に対向していない非ロック位置においては非ロック位置保持手段９によって錠片４が保持されていることから、錠片４を備えている移動体２０を引き出している場合に錠片４を操作してロック位置に回動させることができないのであり、錠片４を不測に突出させることがなく、錠片４を突出させて移動体２０を閉じ位置に移動させた場合に錠片４をロック孔５を形成した板材２８に当接させて変形させるようなことがなく、錠片４を変形させることで所定のロックができなくなることがない。
【００２３】
この場合、非ロック位置保持手段９は、上述のように略Ｕ字状のばね片１１が回転軸２の周りに回転不能で、ばね片１１の一方の脚片１２ａが移動体２０の移動方向に弾性変位自在にして備えているのであり、脚片１２ａを錠片４の板面に弾接し、脚片１２ａの遊端部のフック１３を錠片４の側端縁に係止して錠片４の回転を阻止するのであり、かつ、外部ケース２２側における解除手段１０にばね押し部８を備え、フック１３の近傍にばね押し部８に当接する被押圧部１４を形成することによって、脚片１２ａの被押圧部１４をロック孔５側に設けたばね押し部８によって押圧することで、ばね片１１に形成したフック１３を錠片４から外して錠片４の回動が可能にできながら、既存の構成のものに略Ｕ字状のばね片１１を組み込み、ばね押し部８を形成することで、本発明のロック機構Ａを容易に得ることができ、改良が容易となるのである。
【００２４】
この場合、脚片１２ａのフック１３の近傍で錠片４のオーバー回転方向にフック１３の高さｈ以上の高さＨを備えた突起１６を形成していることから、錠片４を備えた移動体２０を引き出した位置において不測に略Ｕ字状のばね片１１の脚片１２ａが弾性変形してフック１３が錠片４よりはずれた場合で、かつ、錠片４が約９０°以上にオーバー回転した場合に錠片４は突起１６に乗り上げるのであり、錠片４の回転方向の幅Ｗを細くしたばね片１１が錠片４側に弾性復帰するのを防止することができ、ばね片１１が錠片４側に弾性復帰してフック１３の端縁１３ａが錠片４の後縁部４ａに係止してしまって錠片４を非ロック位置に戻すことができなくなるようなことがなく、錠片４のオーバー回転を許容しながら戻し回転を可能にし、錠片４のオーバー回転を補償することができるのである。
【００２５】
ところで、ばね片１１の脚片１２ａの幅Ｗを細くすることで脚片１２ａの弾性力を低減できるのであり、移動体２０を外部ケース２２に対して閉じる場合に、ばね押し部８で脚片１２ａの被押圧部１４を押して錠片４をロック孔５に対向させる閉じ位置に戻す場合の操作力を低減できて使いやすくしている。
【００２６】
しかも、移動体２０に設けた錠１５側の枠体１７は金属製で導電性を備え、この枠体１７に導電性とした略Ｕ字状のばね片１１のベース片２４としての脚片１２ｂが当接し、弾性変形可能な脚片１２ａの被押圧部１４を押すばね押し部８を外部ケース２２にアースしているのである。
【００２７】
このように、錠片４を回動させてロック孔５に係合させているロック状態においては、ロック孔５側のばね押し部８が錠１５側のばね片１１の脚片１２ａに弾接していることから、ばね押し部８をアースしておくことで、ばね押し部８に弾接している導電性のばね片１１によって錠１５側のアースをおこなうことができ、したがって、冬季等においてキー１を人が持ってキー溝３に挿入する場合に、人に帯電している静電気をアースすることができ、例えば、ロック孔５を備えた本体側に電子機器を搭載した器具において静電気に起因する誤動作を防止することができるのである。
【００２８】
尚、本発明のロック機構Ａは、引き出し、扉及び蓋などのロック部分に実施してもよいものである。
【００２９】
請求項１においては、キーを錠側において回転自在に設けた回転軸のキー溝に挿入して回転軸を回転させることで、回転軸に設けた錠片を回動させてロック孔に係入してロックをおこなうロック機構であって、舌片状に形成した錠片を設けた可動側部もしくは固定側部に錠片を非ロック位置に保持する非ロック位置保持手段を設け、上記非ロック位置保持手段による錠片の保持を解除するばね押し部を備えた解除手段をロック孔を設けた固定側部もしくは可動側部に設け、非ロック位置保持手段は、略Ｕ字状のばね片が回転軸の周りに回転不能で、ばね片の一方の脚片が可動側部の移動方向に弾性変位自在にして備え、上記脚片を錠片の板面に弾接し、上記脚片の遊端部にフックを形成し、フックを錠片の側縁部に錠片の回転を阻止して係止して非ロック位置に錠片を保持するとともに、上記脚片のフックの近傍に、ばね押し部に当接して脚片を弾性変位させてフックを錠片より離脱させる被押圧部と、錠片のオーバー回転方向にフックの高さ以上の高さを備えた突起と、を形成して成るものであり、可動側部を固定側部に対して閉じ姿勢に戻した閉じ位置においてばね押し部を被押圧部に当接して脚片を弾性変位させることで、上記解除手段にて上記非ロック位置保持手段による錠片の非ロック位置での保持を解除するように連動させるとともに、上記閉じ位置以外において錠片をオーバー回転させた場合にフックの端縁が錠片の後縁端に係合することを上記突起が阻止しているから、錠片を設けた例えば可動側部を閉じ位置に移動させたときにのみ非ロック位置保持手段を解除手段によって解除して、錠片を回動できる状態にすることができ、したがって、錠片を備えた例えば可動側部が所定の閉じ位置の手前に位置している場合には錠片は非ロック位置保持手段によって非ロック位置に保持されていて、ロック孔が存在しない位置においては錠片を回動操作させることができず、誤（未）施錠が生じることがないという利点がある。
そして、略Ｕ字状のばね片の一方の脚片の被押圧部をロック孔側に設けたばね押し部によって押圧することで、ばね片に形成したフックを錠片から外して錠片の回動が可能にできるのであり、しかして、既存の構成のものに略Ｕ字状のばね片を組み込み、ばね押し部を形成することで、本発明のロック機構を得ることができ、改良が容易となるという利点がある。
更に、錠片を備えた例えば可動側部を引き出した位置において不測に略Ｕ字状のばね片の脚片が弾性変形してフックが錠片よりはずれた場合で、かつ、錠片がオーバー回転した場合に錠片は突起に乗り上げているのであり、幅を細くしたばね片が錠片側に弾性復帰するのを防止することができ、ばね片が錠片側に弾性復帰してフックの端縁が錠片の後端縁に係止してしまって錠片を非ロック位置に戻すことができなくなるようなことがなく、錠片のオーバー回転を補償することができるという利点がある。
【００３０】
しかも、錠片がロック孔に対向していない非ロック位置においては非ロック位置保持手段によって錠片が保持されていることから、錠片を備えている例えば可動側部を引き出している場合に錠片を操作してロック位置に回動させることができず、したがって、錠片を不測に突出させておくことがなく、錠片を突出させて例えば可動側部を閉じ位置に移動させた場合に錠片を他物に衝突させて変形させるようなことがなく、錠片を変形させることで所定のロックができなくなることがないという利点がある。
【００３１】
請求項２においては、スタッカー部及び紙幣識別装置を備えた可動側部と、上記可動側部をスライド移動して引き出し自在に挿入された固定側部と、可動側部と固定側部の間に設けたロック機構と、からなり遊技機間に装着されるスタッカー付き紙幣識別機において、上記ロック機構はキーを錠側において回転自在に設けた回転軸のキー溝に挿入して回転軸を回転させることで、回転軸に設けた錠片を回動させてロック孔に係入してロックをおこない可動側部を固定側部に施錠するものであって、舌片状に形成した錠片を設けた可動側部もしくは固定側部に錠片を非ロック位置に保持する非ロック位置保持手段を設け、上記非ロック位置保持手段による錠片の保持を解除するばね押し部を備えた解除手段をロック孔を設けた固定側部もしくは可動側部に設け、非ロック位置保持手段は、略Ｕ字状のばね片が回転軸の周りに回転不能で、ばね片の一方の脚片が可動側部の移動方向に弾性変位自在にして備え、上記脚片を錠片の板面に弾接し、上記脚片の遊端部にフックを形成し、フックを錠片の側縁部に錠片の回転を阻止して係止して非ロック位置に錠片を保持するとともに、上記脚片のフックの近傍に、ばね押し部に当接して脚片を弾性変位させてフックを錠片より離脱させる被押圧部と、錠片のオーバー回転方向にフックの高さ以上の高さを備えた突起と、を形成して成るものであり、可動側部を固定側部に対して閉じ姿勢に戻した閉じ位置においてばね押し部を被押圧部に当接して脚片を弾性変位させることで、上記解除手段にて上記非ロック位置保持手段による錠片の非ロック位置での保持を解除するように連動させるとともに、上記閉じ位置以外において錠片をオーバー回転させた場合にフックの端縁が錠片の後縁端に係合することを上記突起が阻止しているから、錠片を設けた例えば可動側部を閉じ位置に移動させたときにのみ非ロック位置保持手段を解除手段によって解除して、錠片を回動できる状態にすることができ、したがって、錠片を備えた例えば可動側部が所定の閉じ位置の手前に位置している場合には錠片は非ロック位置保持手段によって非ロック位置に保持されていて、ロック孔が存在しない位置においては錠片を回動操作させることができず、誤（未）施錠が生じることがないという利点がある。
そして、略Ｕ字状のばね片の一方の脚片の被押圧部をロック孔側に設けたばね押し部によって押圧することで、ばね片に形成したフックを錠片から外して錠片の回動が可能にできるのであり、しかして、既存の構成のものに略Ｕ字状のばね片を組み込み、ばね押し部を形成することで、本発明のロック機構を得ることができ、改良が容易となるという利点がある。
【００３２】
更に、錠片を備えた例えば可動側部を引き出した位置において不測に略Ｕ字状のばね片の脚片が弾性変形してフックが錠片よりはずれた場合で、かつ、錠片がオーバー回転した場合に錠片は突起に乗り上げているのであり、幅を細くしたばね片が錠片側に弾性復帰するのを防止することができ、ばね片が錠片側に弾性復帰してフックの端縁が錠片の後端縁に係止してしまって錠片を非ロック位置に戻すことができなくなるようなことがなく、錠片のオーバー回転を補償することができるという利点がある。
【００３３】
請求項３においては、請求項１の効果に加えて、錠側の金属製の枠体に導電性とした略Ｕ字状のばね片の固定側の脚片を当接し、可動側の脚片の被押圧部を押すばね押し部をアースしているから、錠片を回動させてロック孔に係合させているロック状態においては、ロック孔側のばね押し部が錠側のばね片の脚片に弾接していることから、ばね押し部をアースしておくことで、ばね押し部に弾接している導電性のばね片によって錠側のアースをおこなうことができ、したがって、冬季等においてキーを人が持ってキー溝に挿入する場合に、人に帯電している静電気をアースすることができ、例えば、ロック孔を備えた本体側に電子機器を搭載した器具において静電気に起因する誤動作を防止することができるという利点がある。
【図面の簡単な説明】
【図１】本発明の実施の一形態を示し、（ａ）はロック状態の概略側面図、（ｂ）は可動側部を引き出した概略側面図である。
【図２】同上の入り口部のカバーを外し、ロック状態を示す全体概略斜視図である。
【図３】同上の非ロックで可動側部をスライドさせて引き出した状態の概略斜視図である。
【図４】同上の正面図である。
【図５】同上の非ロック状態で可動側部をスライドさせて引き出した斜視図である。
【図６】同上のロック状態を示す斜視図である。
【図７】同上の可動側部をスライドさせて引き出した状態でばね片が不測に錠片より外れて錠片を回転させている状態を示す斜視図、（ｂ）は錠片のオーバー回転状態を補償している状態を示す斜視図である。
【図８】同上のばね片の斜視図である。
【符号の説明】
１      キー
２      回転軸
３      キー溝
４      錠片
５      ロック孔
６      可動側部
７      固定側部
８      ばね押し部
９      非ロック位置保持手段
１０    解除手段
１１    ばね片
１２ａ  可動側の脚片
１２ｂ  固定側の脚片
１３    フック
１４    被押圧部
１５    錠
１６    突起
１７    枠体
【図１】
0004418131.tif 000002
【図２】
0004418131.tif 000003
【図３】
0004418131.tif 000004
【図４】
0004418131.tif 000005
【図５】
0004418131.tif 000006
【図６】
0004418131.tif 000007
【図７】
0004418131.tif 000008
【図８】
0004418131.tif 000009